(57)【要約】【課題】ニホンミツバチ、セイヨウミツバチを、スズメバチの襲撃から護るためにスズメバチを巣門に近づけないようにする装置を提供する。【解決手段】１（柵方式）、  スズメバチがミツバチの巣門に飛んでも歩いても近づけないように、２種類の柵を枠箱の内側に装着する。飛行阻止には前後に２センチ間隔の平行線か、幅が２〜３センチの薄い板を４０ミリ乃至４５ミリ間隔で並べる。歩いての通過阻止には上部が手前に曲がった高さ約４０センチの針金を８ミリか９ミリの間隙で枠箱の床に並べるか、逆Ｌ字形の柵を立てる。上部や側部からの接近阻止にはフリルで目隠しをする。２（格子方式）、  桟を間隙８ミリか９ミリで格子状に積重ねた装置によって、ミツバチは通過できてスズメバチは通過できないようにする。３（感電方式）、  触れたら感電するように２本の針金か箔に電圧を掛けた装置を巣門に設置することで、どの種のスズメバチも巣門に近づけないようにする。【選択図】        図７
2004261095.tif 000002
【特許請求の範囲】
【請求項１】
横長方形枠箱（１）の前面に、スズメバチが翼を広げ、飛んで通り抜けられない間隔（４０ミリ乃至４６ミリ）で、前後に約２０ミリ離して並べた２本の針金あるいは糸（２）を５，６箇所、縦方向に張り、その床にはミツバチは歩いて通り抜けられるがスズメバチは通り抜けられない間隔（８ミリ乃至９ミリ）で、しかも、這い上がることもできないように上部が前方に曲がった針金あるいはそれに準ずる物体（３）を、枠箱の両側面の間に立て、枠箱前縁の上辺と両側辺には目隠しのフリル（４）を取り付けたミツバチ防御用スズメバチ遮断装置。
【請求項２】
横長方形枠箱（５）の前面に、スズメバチが翼を広げ、飛んで通り抜けられない間隔（４０ミリ乃至４６ミリ）で、幅２０ミリ乃至３０ミリの飛行阻止板（６）を５，６箇所に立て、その床には、ミツバチは通り抜けられるがスズメバチは歩いて通り抜けられないよう８ミリ乃至９ミリの間隙（７）を床との間に持った高さ約４０ミリの垣根を設け、さらにその垣根を這い上がっても通り抜けられないように、垣根上部に、前方へ約３０ミリの張り出しを持った歩行阻止板（８）を、枠箱の両側面の間に設け、枠箱前縁の上辺と両側辺には目隠しのフリル（９）を取り付けたミツバチ防御用スズメバチ遮断装置。
【請求項３】
縦の一辺が垂直な２枚の台形の側板（１０）の間に、薄い帯状の桟（１１）（一般的には厚さ３，４ミリ、幅１５ミリないし２０ミリの板）を間隙８ミリ乃至９ミリで側板傾斜部全体に階段状に取り付けたスズメバチ遮断装置。
【請求項４】
横長方形枠箱（１２）の前縁部上下左右の内側に２本の電線（１３）を約２０ミリ離して平行に張り回し、その針金枠の上辺と底辺の間に５，６箇所、針金を４０ミリ乃至４５ミリ間隔で張り渡し、２個の針金枠のそれぞれを、スズメバチが両方の針金に同時に触れたら感電するように電池（１４）の正負につなぎ、下辺の針金は雨に濡れても短絡しないように、またミツバチは床を歩け、スズメバチは針金の上を越えなければ入れないように、床から８ミリ乃至９ミリ上げて張った感電式スズメバチ遮断装置。
【請求項５】
幅の異なる２枚の板を狭い方（１５）を上に、広い方（１６）を下に、間隙８ミリ乃至９ミリで重ね、それぞれの板の前縁に金属箔（１７）を貼り付け、それぞれの箔は電池（１８）に接続した感電式スズメバチ撃退装置。
【発明の詳細な説明】
【０００１】
【発明の属する技術分野】
本発明はミツバチをスズメバチの襲撃から護るための装置に係わるものである。
【０００２】
【従来の技術】
従来、この種の装置としては襲撃のためにミツバチの巣箱にやって来たスズメバチを巣門に取り付けた捕獲器で捕獲し、餓死させるというものであった。
【０００３】
【発明が解決しようとする課題】
古来より養蜂を行うものはスズメバチ対策に頭を悩ませてきた。特にセイヨウミツバチは人が対策を講じないとすべての群が死滅させられる。ニホンミツバチの場合でも約３分の１は滅びる。
【０００４】
対策として、従来、ミツバチ巣箱の巣門にスズメバチ捕獲器を取り付けている。しかしこの捕獲器には２つの欠点がある。一つはスズメバチを殺すのを目的としているために、生態系を乱すことにも繋がっていることであり、もう一つは、その効果が完全なものではないということである。ミツバチを襲ったスズメバチがすべて捕獲器に捉まるわけではなく、襲撃から引き上げるとき上方へ飛び上がったのだけが捉まる。それにスズメバチには学習能力があり、捕獲器を避ける術を身に付ける。
【０００５】
さらに装置の構造が複雑で材料も多く必要とし、製作費用が嵩む欠点がある。
【０００６】
従来の技術はセイヨウミツバチに対するものであり、ニホンミツバチを防御するには役に立たないものである。ニホンミツバチは日本の風土の中で進化したためにスズメバチとの戦い方を身に付けていて、勢力が強く数が多いとスズメバチを自力で撃退する。勢力の弱い群だけが壊滅させられる。ニホンミツバチに関してはこの弱い群に手を貸してやればいいのであるが、手を貸そうにも従来の装置では役に立たない。
【０００７】
ニホンミツバチは襲われると戦うが、勝ち目がないと分かると巣箱の中に閉じこもってしまう。それでスズメバチはニホンミツバチが出て来るのを待って巣門に張り付くのである。その間、ミツバチは生産活動を停止するので、その結果、やがて食料不足を来たし冬を乗り切れず死滅してゆく。この巣門に張り付くスズメバチの行動を従来の装置では防ぐことができない。
【０００８】
【課題を解決するための手段】
上記の目的を達成するためには、ミツバチは通れてスズメバチは通れない装置を実現したらよい。それには原理的に大きく分けて３つの方法がある。
【０００９】
１つは、ミツバチは飛んでも歩いても通れるがスズメバチは飛んでも歩いても通れないような柵を用いる方法。
【００１０】
２つ目は、ミツバチもスズメバチも飛んでは通れないが、ミツバチは歩いてなら通れて、スズメバチは歩いては通れない格子を用いる方法。
【００１１】
３つ目は、ミツバチは通り抜けても感電しないが、スズメバチは通り抜けようとすると感電し、通り抜けられない方法。
【００１２】
請求項１、請求項２は第１の原理に基づく方法を用いたものであり、請求項３は第２の原理であり、請求項４，５は第３の原理に基づく方法である。
【００１３】
【発明の実施の形態および実施例】
これらの装置のサイズはすべてミツバチの巣箱に適合するものでなければならず、ミツバチの巣門を覆うように取り付けて用いる。
【００１４】
請求項１の上下に張った針金と針金（２）の横の間隔は４０ミリ乃至４６ミリで、前後２本の針金の間隔は２０ミリで、後ろの１本はスズメバチが床から登り難いように途中で切ってある（図２の２）。針金の太さは１ミリ程度である。あまり細くすると飛び出してゆくミツバチが逆光のため見え難いのかよく衝突をする。
【００１５】
間隔４６ミリはオオスズメバチ用で、４０ミリはコガタスズメバチ用である。一般にはオオスズメバチ用だけで事足りるのであるが、オオスズメバチがいない地域があって天敵のいないコガタスズメバチが跋扈する。
【００１６】
針金が１本では間隔４０ミリでもオオスズメバチは翼を振って片方ずつ入れて通り抜けるので２本にしている。２本にしても５０ミリだと横飛びで入る。
【００１７】
床に並べている上方が前方に曲がった短い針金（３）の高さは４５ミリ程度で、間隔は８ミリ乃至９ミリである。針金の太さは０，６ミリか０，７ミリが適切であろう。細すぎると柔らかくスズメバチが押し広げて入り、太すぎるとよじ登り易くなる。間隔９ミリでオオスズメバチは通れず、８ミリではコガタスズメバチも通れない。１０ミリにするとオオスズメバチも通り抜ける。上方を前方に曲げているのは羽ばたいて登り、乗り越えるのを防ぐためである。
【００１８】
枠箱の前端の上辺と側辺にフリル（４）を上方と側方に張り出すように取り付けてある。幅は２．５センチ程度である。これは枠箱の内部を覗けないようにした目隠しである。見えない所には入ろうとしない。
【００１９】
請求項２の説明にはいる。図３、図４が実施例である。請求項１と原理はほぼ同じである。スズメバチが飛んで入るのを防ぐ縦の２本組針金の代わりに幅のある板（６）を使っている。下方は飛行通過しないので幅を必要とせず、逆３角形にしている。
【００２０】
歩いて入るのを防ぐ９ミリ間隔の前方に曲がった針金の代わりに逆Ｌ字形の垣根（８）を用いているのは製作が容易だからである。ミツバチが通れるように下端を８ミリ乃至９ミリ空かしてある（７）。
【００２１】
請求項３（図５、図６）は台形の側板（１０）と側板の間に桟（１１）を間隙８ミリ乃至９ミリで階段状に重ねたものである。垂直でなく階段状にしているのはミツバチの発着を容易にするためである。
【００２２】
請求項４は感電方式である（図７、図８）。枠箱（１２）の上下左右の内側に間隔約２０ミリの平行な電線を張り回し、その針金枠の上辺と底辺の間に４０ミリ乃至４６ミリ間隔で電線（１３）を渡す。底辺部に張った針金は床から８ミリ乃至９ミリ上げて、その下をミツバチが通れるようにする。床に接触させないのは床が雨で濡れたとき電流が短絡しないためである。２組の電線はそれぞれ乾電池（１４）の正負につなぐ。
【００２３】
電線にはターミナルを含めて接着すべき個所があるが、熔接するかカシメる。
【００２４】
電池は小型電池の中では最も電圧の高い９ボルト電池を使う。１個で効果はあるが即効性を求めるなら２個直列につなぎ１８ボルトにしたらよい。３個だと感電死するのが出るほどである。電池の取り付け場所は枠箱の内部の上隅が雨に濡れず、ミツバチの活動にも邪魔にならない。
【００２５】
請求項５（図９，図１０）は無蓋で、８ミリあるいは９ミリ間隔でずらして重ねた非電気伝導の２枚の板（１５，１６）の縁に幅１０ミリほどの金属箔（１７）を貼り付け、電池（１８）につないだものである。下の板の下面にも高さ８ミリか９ミリの脚（１９）を取り付け、巣門の前に置いたときその下をミツバチが通れるようにしてある。
【００２６】
この装置はスズメバチが篭城したニホンミツバチの巣門に張り付くのを防ぐ効果を持つ。篭城しないセイヨウミツバチにはあまり有効でない。襲われると篭城せずこの装置の前方へ出て立ち向かうので噛み殺される。
【００２７】
【発明の効果】
請求項１から請求項３までは発明の効果に関してはほとんど変りはなく、これらの装置をスズメバチに襲撃されているミツバチ巣箱の巣門に取付けると即刻襲撃は不可能になり、ミツバチは集蜜活動を再開する。しかしスズメバチは中々諦めがつかず、時々やって来てミツバチを１匹ずつ捕らえたりするが、ミツバチの群にとってそれは大した影響ではない。
【００２８】
請求項４の装置を取り付けるとスズメバチを完全に駆逐することが出来る。スズメバチは２本の電線を乗り越えようとした瞬間に感電し慌てて逃げる。縦の電線に止まったり、上辺や側辺から入ろうとしたりしても感電する。スズメバチは一度感電を経験すると２度と電線に触れようとしなくなり、その後まったく寄り付かなくなる。
【００２９】
請求項５の装置は、製作と設置が簡単で、巣門の前に置くだけでよく、安価に提供できる。しかしセイヨウミツバチにはあまり効果を発揮しない。この装置を越えて出撃し、スズメバチに噛み殺されるからである。襲われると巣箱の中に篭るニホンミツバチにとっては、スズメバチが巣門に張り付くのを防ぐので有効である。
【図面の簡単な説明】
【図１】請求項１、スズメバチの歩行通過を縦に並べた線の柵と上辺と側辺のフリルで防ぎ、飛行通過は縦に張った２本組の線で防ぐ装置の正面図である。
【図２】請求項１の断面図である。
【図３】請求項２、スズメバチの歩行通過を逆Ｌ字形の横長の柵で防ぐ装置の正面図である。
【図４】請求項２の断面図である。
【図５】請求項３、階段状グリルでスズメバチの通過を防ぐ装置の正面図である。
【図６】請求項３の断面図である。
【図７】請求項４、感電式遮断装置の正面図である。
【図８】請求項４の断面図である。
【図９】請求項５、感電式でスズメバチの巣門張り付きを防ぐ装置の平面図である。
【図１０】請求項５の正面図である。
【符号の説明】
１    枠箱
２    ２本組線
３    曲がった線
４    フリル
５    枠箱
６    飛行阻止板
７    歩行用間隙
８    歩行阻止板
９    フリル
１０    側板
１１    桟
１２    枠箱
１３    電線
１４    電池
１５    上の板
１６    下の板
１７    金属箔
１８    電池
１９    脚
【図１】
2004261095.tif 000003
【図２】
2004261095.tif 000004
【図３】
2004261095.tif 000005
【図４】
2004261095.tif 000006
【図５】
2004261095.tif 000007
【図６】
2004261095.tif 000008
【図７】
2004261095.tif 000009
【図８】
2004261095.tif 000010
【図９】
2004261095.tif 000011
【図１０】
2004261095.tif 000012